(57)【要約】      （修正有）【課題】  特別な遮蔽板等を用いなくてもヒーターに水滴がかからないようにし、水を加熱・蒸発させる熱を利用してタオルも加熱できるようにして、エネルギー効率を良くすること。【解決手段】  予め濡らしたタオルと水を収容する収容部３の底部を凹状にして、少量の水を貯水できる貯水部１０を形成し、該貯水部１０の下側の前記収容部３外に加熱用ヒーターと保温用ヒーター１１とを配設し、該貯水部３の上部に仕切板１４を配設してその上にタオル６を配設した。【選択図】  図１
2005087601.tif 000002
【特許請求の範囲】
【請求項１】
収容部内に予め濡らしたタオルと水とを収容し、該水をヒーターで加熱して蒸気を発生させ前記タオルを蒸すと共に加熱するタオル蒸し装置であって、
前記収容部の底部を凹状にして少量の水を貯水できる貯水部を形成し、
該貯水部の下側の前記収容部外に加熱用ヒーターと保温用ヒーターとを配設し、
該貯水部の上部に仕切板を配設してその上に前記タオルを配設し、
前記加熱用ヒーターにより前記貯水部に貯水された水を加熱し蒸発させて前記タオルを蒸し、
該蒸されたタオルを前記保温用ヒーターで保温する構成であること
を特徴とするタオル蒸し装置。
【請求項２】
収容部内に予め濡らしたタオルと水とを収容し、該水をヒーターで加熱して蒸気を発生させ前記タオルを蒸すと共に加熱するタオル蒸し装置であって、
前記収容部の前面側を開口させて形成すると共に該前面側に開閉可能な扉を配設し、
前記収容部の底部の形状を前面側より略中央部・後部側を低くして少量の水を貯水できる貯水部を形成し、
該貯水部の下側の前記収容部外に加熱用ヒーターと保温用ヒーターとを配設し、
該貯水部の上部に仕切板を配設してその上に前記タオルを配設し、
前記加熱用ヒーターにより前記貯水部に貯水された水を加熱し蒸発させて前記タオルを蒸し、
該蒸されたタオルを前記保温用ヒーターで保温する構成であること
を特徴とするタオル蒸し装置。
【請求項３】
前記貯水部の温度を検出できる温度検出手段を配設して、
該貯水部に貯水された水が蒸発して該貯水部の温度が上昇したことを前記温度検出手段で検出した場合に前記加熱用ヒーターから保温用ヒーターに切り換えること
を特徴とする請求項１または２に記載のタオル蒸し装置。
【請求項４】
前記加熱用ヒーターと保温用ヒーターとを合体させ一体的に形成したこと
を特徴とする請求項１乃至３のいずれかに記載のタオル蒸し装置。
【発明の詳細な説明】
【技術分野】
【０００１】
本発明は、例えば、理容室、レストラン等に設置し、タオルを短時間に蒸し、該蒸したタオルを簡単に提供することができるタオル蒸し装置に関するものである。
【背景技術】
【０００２】
従来、レストラン等のサービスの一つとして、食事の前に蒸したタオルを提供する、また理容室等においても、蒸したタオルを使用することがあり、このタオルを蒸す装置としては、例えば、タオル室と、該タオル室に隣接させた貯水槽とからなり、前記タオル室の下方に赤外線ヒータを配設し、前記貯水槽内にパイプヒータを配設し、該パイプヒータで貯水槽内の水を加熱して蒸気を発生させ、該蒸気を前記タオル室に突出させた蒸気吐出口を介して該タオル室内に導いて、タオルを蒸すタオル蒸し器がある。
【特許文献１】実公平３−４７５９３号公報
【０００３】
この特許文献１の公知技術においては、タオル蒸し器をタオル室と貯水槽とに分割し、パイプヒータで該貯水槽内の水を加熱して蒸気を発生させ、該貯水槽から前記タオル室内に導かれた蒸気とタオルとを赤外線ヒータで加熱するものである。
【発明の開示】
【発明が解決しようとする課題】
【０００４】
しかしながら、前記特許文献１の公知技術においては、タオル蒸し器をタオル室と貯水槽とに分割させ、タオル室の底板から落ちる水滴が赤外線ヒータにかからないようにするために、遮蔽板を配設すると共に、前記水滴受けとして、反射熱板を配設させているため、装置全体を小型化することができないばかりでなく、前記反射熱板とタオル室との底部には、前記水滴が溜まってしまうことがあり、また、貯水槽内に配設されたパイプヒータは、該貯水槽内の水を加熱するためにのみ使用し、前記パイプヒータで発生した熱を用いてタオルを加熱することができないため、エネルギー的な効率が悪いという問題点を有している。
【０００５】
従って、従来のタオル蒸し装置においては、タオル室と貯水槽とに分割させる必要がなく、特別な遮蔽板等を用いなくてもヒーターに水滴がかからないようにし、水を加熱・蒸発させる熱を利用してタオルも加熱できるようにして、エネルギー的な効率を良くするということに解決しなければならない課題を有している。
【課題を解決するための手段】
【０００６】
上記した従来例の課題を解決する具体的手段として本発明に係る第１の発明として、収容部内に予め濡らしたタオルと水とを収容し、該水をヒーターで加熱して蒸気を発生させ前記タオルを蒸すと共に加熱するタオル蒸し装置であって、前記収容部の底部を凹状にして少量の水を貯水できる貯水部を形成し、該貯水部の下側の前記収容部外に加熱用ヒーターと保温用ヒーターとを配設し、該貯水部の上部に仕切板を配設してその上に前記タオルを配設し、前記加熱用ヒーターにより前記貯水部に貯水された水を加熱し蒸発させて前記タオルを蒸し、該蒸されたタオルを前記保温用ヒーターで保温する構成であることを最も主要な特徴とする。
【０００７】
また、第２の発明として、収容部内に予め濡らしたタオルと水とを収容し、該水をヒーターで加熱して蒸気を発生させ前記タオルを蒸すと共に加熱するタオル蒸し装置であって、前記収容部の前面側を開口させて形成すると共に該前面側に開閉可能な扉を配設し、前記収容部の底部の形状を前面側より略中央部・後部側を低くして少量の水を貯水できる貯水部を形成し、該貯水部の下側の前記収容部外に加熱用ヒーターと保温用ヒーターとを配設し、該貯水部の上部に仕切板を配設してその上に前記タオルを配設し、前記加熱用ヒーターにより前記貯水部に貯水された水を加熱し蒸発させて前記タオルを蒸し、該蒸されたタオルを前記保温用ヒーターで保温する構成であることを最も主要な特徴とする。
【０００８】
これら第１または第２の発明において、前記貯水部の温度を検出できる温度検出手段を配設して、該貯水部に貯水された水が蒸発して該貯水部の温度が上昇したことを前記温度検出手段で検出した場合に前記加熱用ヒーターから保温用ヒーターに切り換えること；前記加熱用ヒーターと保温用ヒーターとを合体させ一体的に形成したこと；を付加的な要件として含むものである。
【発明の効果】
【０００９】
本発明に係るタオル蒸し装置は、収容部内に予め濡らしたタオルと水とを収容し、該水をヒーターで加熱して蒸気を発生させ前記タオルを蒸すと共に加熱するタオル蒸し装置であって、前記収容部の底部に凹状にして少量の水を貯水できる貯水部を形成し、該貯水部の下側の前記収容部外に加熱用ヒーターと保温用ヒーターとを配設し、該貯水部の上部に仕切板を配設してその上に前記タオルを配設し、前記加熱用ヒーターにより前記貯水部に貯水された水を加熱し蒸発させて前記タオルを蒸し、該蒸されたタオルを前記保温用ヒーターで保温する構成であることにより、一つの収容部で水の加熱・蒸発と、タオルの加熱とができるため、該収容部を複数に分割させることがなく、該収容部外の貯水部の下側に加熱用ヒーターと保温用ヒーターとを配設したため、これらヒーターは、特別な遮蔽板等を用いなくても水滴がかかることがなく、水を加熱・蒸発させる熱を利用してタオルも加熱できるため、エネルギー的な効率を良くすることができるという優れた効果を奏する。
【発明を実施するための最良の形態】
【００１０】
本発明に係るタオル蒸し装置においては、収容部の底部の形状を前面側より後部側を低くして少量の水を貯水できる貯水部を形成し、該貯水部の下側の前記収容部外に加熱用ヒーターと保温用ヒーターとを合体させ一体的にした環状ヒーター配設し、該環状ヒーターの略中央部に温度検出手段を配設し、前記貯水部の上部に仕切板を配設してその上に予め濡らしたタオルを配設し、前記加熱用ヒーターにより前記貯水部に貯水された水を加熱し蒸発させて前記タオルを蒸し、水が蒸発して貯水部の温度が上昇したことを前記温度検出手段で検出して前記加熱用ヒーターから保温用ヒーターに切り換えて保温させることにより、最も好ましいタオル蒸し装置が実現した。
【実施例１】
【００１１】
次に、本発明を具体的な実施の形態に基づいて詳しく説明する。
本発明の実施の形態に係る実施例１のタオル蒸し装置の側面側からみた略示的な断面図を図１に示す。タオル蒸し装置１は、略箱形の筐体２の内部を空洞にして収容部３が形成されている。
【００１２】
図１においては、タオル蒸し装置１の筐体２を、外容器２ａと内容器２ｂとに分割して筐体２を形成している。これら外容器２ａと内容器２ｂとは、例えば、金属または耐熱性の樹脂材等で形成することができ、外容器２ａを耐熱性の樹脂材で形成して内容器２ｂを金属で形成することが好ましい。
【００１３】
この筐体２は、必ずしも外容器２ａと内容器２ｂとに分割することに限定されるものではなく、一体的に形成してもよく、また、外容器２ａと内容器２ｂとを同一の金属または耐熱性の樹脂材等で形成しても良い。
【００１４】
これら外容器２ａと内容器２ｂとの間には、例えば、発泡プラスチック等の断熱材４を配設させ、収容部３内の熱を外部に伝達させづらくして、該収容部３の保温・遮熱効果を高めるようにすることが好ましい。
【００１５】
筐体２の収容部３の前面側は、開口５状態に形成されており、該開口５から前記収容部３内にタオル６等を収容させることができる。この筐体２の収容部３の前面側には、蝶番７等を介して扉８が開閉可能な状態で配設されている。
【００１６】
扉８には、収容部３の前面側の筐体２と接するところに、封止部材９が配設されている。該封止部材９は、例えば、ゴム材等によって形成された外殻９ａの内部を中空状に形成して弾性をもたせており、前記扉８を閉じる際のクッションとして作用すると共に、該扉８を閉鎖することにより前記開口５を密閉できるようになっている。
【００１７】
収容部３には、底部の形状を前面側より後部側を低くして、少量の水を貯水できる貯水部１０を形成している。この貯水部１０は、底部の形状を前面側より略中央部を低く形成するだけであっても良い。つまり、収容部３の底部に凹状にして少量の水を貯水できる貯水部１０を形成できれば良く、この場合は、例えば、扉８を収容部３の上部側に配設するようにしても良いのである。
【００１８】
貯水部１０の下側の前記収容部外、例えば、貯水部１０の底部を形成している内容器２ｂと外容器２ａとの間には、ヒーター１１を配設させており、前記貯水部１０に貯水された水を前記ヒーター１１により該貯水部１０の下側から加熱するため、該ヒーター１１から発生した熱が効率良く収容部３内に伝達・放射され、該貯水部１０された水を効率良く加熱して蒸発させることができると共に、前記収容部３内を加熱して温度を上昇させることができる。
【００１９】
ヒーター１１は、図２に示したように、例えば、略楕円形のドーナツ状に形成されている。このヒーター１１内には、加熱用ヒーター１１ａと保温用ヒーター１１ｂとが配設されており、該加熱用ヒーター１１ａには、例えば、３００Ｗの電力を供給できる配線１２ａが接続されており、前記保温用ヒーター１１ｂには、例えば、５０Ｗの電力を供給できる配線１２ｂが接続されている。つまり、前記加熱用ヒーター１１ａと保温用ヒーター１１ｂとを合体させ一体的にしてヒーター１１を形成しており、このように、一体的に形成することによって、ヒーター１１をコンパクトにできるのである。
【００２０】
このヒーター１１としては、内部に加熱用ヒーター１１ａと保温用ヒーター１１ｂとを収容させなくとも、前記ヒーター１１に供給する電力を制御して、該ヒーター１１を加熱または保温の適宜の温度に調整できれば良いのである。
【００２１】
略楕円形のドーナツ状に形成されたヒーター１１の内側には、図２及び図３に示したように、温度検出手段１３を配設しており、該温度検出手段１３により、貯水部１０の温度（水温を含む）を検出できるようになっている。この温度検出手段１３は、例えば、収容部３内の貯水部１０の底部等に配設させても良い。
【００２２】
このように、貯水部１０の温度を検出できる温度検出手段１３を配設することにより、該貯水部１０に貯水させた水が蒸発して該貯水部１０の温度が上昇したことを前記温度検出手段１３で検出することができるようになり、この検出した温度に基づいて、貯水部１０に貯水した水が全て蒸発したことを検知して、前記加熱用ヒーター１１ａから保温用ヒーターに切り換えるようにして、過度の加熱を防止するのである。そして、前記貯水部１０に水がある場合には、これら加熱用ヒーター１１ａと保温用ヒーター１１ｂとの両方を加熱させても良いのである。
【００２３】
また、貯水部１０の上部には、仕切板１４を配設している。この仕切板１４としては、例えば、スノコ等を使用することができ、前記貯水部１０の水面より稍高いところに前記仕切板１４の平面部１４ａが位置するように、該平面部１４ａを支持する脚部１４ｂを形成することが好ましい。
【００２４】
仕切板１４には、図示はしていないが、複数の通気孔が穿設されており、これにより、貯水部１０に貯水させた水が加熱用ヒーター１１ａにより加熱されて蒸発した場合に、該蒸発した蒸気がスムーズに収容部３内の全体に充満されるのである。
【００２５】
そして、仕切板１４の上に予め濡らしたタオル６を配設させた状態で、扉８を閉鎖して密閉状態にし、貯水部１０に貯水させた水を加熱用ヒーター１１ａにより加熱して蒸発させることにより、該蒸発した蒸気が収容部３内の全体に充満するが、その際、前記タオル６が予め濡れているため、前記蒸気により蒸されやすいため、前記タオル６を効率良く短時間に加熱させることができ、その際に、該タオル６が焦げてしまうということがないのである。
【００２６】
そういう意味で、収容部３内の仕切板１４の上には、予め濡らしたタオル６を配設させるものであるが、蒸して加熱させる時間に急を要さない場合には、前記タオル６として、乾燥したタオル６を使用することもできる。
【００２７】
タオル６が十分に加熱・蒸され、貯水部１０に貯水させた水が全て蒸発した場合には、該貯水部１０の温度が上昇するため、その温度上昇を温度検出手段１３で検出して加熱用ヒーター１１ａの電源をオフにして、保温用ヒーター１１ｂに切り換えることにより、過度の加熱を防止し、適宜の温度で前記加熱・蒸されたタオル６を保温するのである。
【００２８】
このように、収容部３の底部を凹状にして少量の水を貯水できる貯水部１０を形成し、該貯水部１０の下側の前記収容部３外に加熱用ヒーター１１ａと保温用ヒーター１１ｂとを配設し、該貯水部１０の上部に仕切板１４を配設してその上に前記タオル６を配設し、前記加熱用ヒーター１１ａにより前記貯水部１０に貯水された水を加熱し蒸発させて前記タオル６を蒸し、該蒸されたタオル６を前記保温用ヒーター１１ｂで保温する構成にしたことにより、一つの収容部３で水の加熱・蒸発と、タオル６の加熱とができるため、該収容部３を複数に分割させることがなく、該収容部３外の貯水部の下側に加熱用ヒーター１１ａと保温用ヒーター１１ｂとを配設したため、これらヒーター１１は、特別な遮蔽板等を用いなくても水滴がかかることがなく、水を加熱・蒸発させる熱を利用して前記タオル６も加熱できるため、エネルギー的な効率が良いのである。
【００２９】
また、タオル６は、仕切板１４の上に直接配設させても良いが、網状等に形成した棚皿１５等を用いて、一度に複数のタオル６を収容・取り出しができるようにしても良い。
【００３０】
図４に、本発明に係るタオル蒸し装置１の回路図の概略の一例を示してある。タオル蒸し装置１には、電源用配線１６を介して電源が供給されており、該電源用配線１６の一方は、第１のセンサー１７に接続され、他方は、リレー１８と、加熱用ヒーター１１ａと保温用ヒーター１１ｂとからなるヒーター１１とに接続されている。
【００３１】
前記第１のセンサー１７の他端は、第２のセンサー１９と、リレー１８と、保温用ヒーター１１ｂとに接続されており、また、前記第２のセンサー１９の他端は、リレー１８のＮＣ端子及びＮＯ端子と、加熱用ヒーター１１ａとに接続されている。
【００３２】
これら第１のセンサー１７と第２のセンサー１９とは、図示はしていないが、前記温度検出手段１３内に配設されているものである。以下、この回路の動作について説明する。
【００３３】
まず、貯水部１０に水を貯水させ、該貯水部１０の温度が所定の温度より下がる（低温状態）と、該低温状態を第２のセンサー１９で検出して、加熱用ヒーター１１ａと保温用ヒーター１１ｂとに電源を供給する。この際、加熱用ヒーター１１ａだけに電源を供給させるようにしても良い。
【００３４】
貯水部１０の水が全て蒸発し該貯水部１０の温度が上昇すると、該温度を第１のセンサー１７で検出して、加熱用ヒーター１１ａと保温用ヒーター１１ｂとの電源の供給を中止する。この際、加熱用ヒーター１１ａの電源の供給だけを中止しても良い。
【００３５】
また、貯水部１０の温度が過度な高温になった場合には、該高温を第２のセンサー１９で検出して、安全的な処置として、加熱用ヒーター１１ａの電源の供給を中止する。
【００３６】
その後、所定の温度まで貯水部１０の温度が低下すると、該温度を第１のセンサー１７で検出して、保温用ヒーター１１ｂに電源を供給して、収容部３内を保温状態にする。
【００３７】
なお、このタオル蒸し装置１の回路においては、例えば、コンピューター等を使用して実現してもよいことは勿論である。
【産業上の利用可能性】
【００３８】
本発明に係るタオル蒸し装置は、タオル室と貯水槽とに分割させる必要がなく、特別な遮蔽板等を用いなくてもヒーターに水滴がかからない構造であるため、省スペースで配設することができ、水を加熱・蒸発させる熱を利用してタオルの加熱ができるため、エネルギー的な効率も良く、前記タオル蒸し装置を、例えば、理容室、レストラン等に設置することによって、タオルを短時間に蒸し、該蒸したタオルを簡単に迅速に提供することができるようになる。
【図面の簡単な説明】
【００３９】
【図１】本発明の実施の形態に係る実施例１のタオル蒸し装置の側面側からみた略示的な断面図である。
【図２】同タオル蒸し装置に配設されているヒーターを略示的に示した平面図である。
【図３】同タオル蒸し装置の貯水部を拡大し略示的に示した断面図である。
【図４】同タオル蒸し装置の回路の概略の一例を示した回路図である。
【符号の説明】
【００４０】
１  タオル蒸し装置
２  筐体
２ａ  外容器
２ｂ  内容器
３  収容部
４  断熱材
５  開口
６  タオル
７  蝶番
８  扉
９  封止部材
９ａ  外殻
１０  貯水部
１１  ヒーター
１１ａ  加熱用ヒーター
１１ｂ  保温用ヒーター
１２ａ、１２ｂ  配線
１３  温度検出手段
１４  仕切板
１４ａ  平面部
１４ｂ  脚部
１５  棚皿
１６  電源用配線
１７  第１のセンサー
１８  リレー
１９  第２のセンサー
【図１】
2005087601.tif 000003
【図２】
2005087601.tif 000004
【図３】
2005087601.tif 000005
【図４】
2005087601.tif 000006